(57)【要約】  本開示は、コンピューター技術の分野に属する情報処理方法及び装置に関する。方法は、現在の表示インターフェイスについてキャプチャー動作指令を検出する時、現在の表示インターフェイスをキャプチャーすること、キャプチャーされた現在の表示インターフェイスにコンテンツ分析を実行し、キャプチャーされた現在の表示インターフェイスに事前設定フォーマットのコンテンツが存在するか否か決定することと、キャプチャーされた現在の表示インターフェイスに事前設定フォーマットのコンテンツが存在するならば、キャプチャーされた現在の表示インターフェイスに前記事前設定フォーマットのコンテンツに対応する動作制御部を加え、キャプチャーされた現在の表示インターフェイスを記憶することを含む。動作制御部は、キャプチャーされたインターフェイスにおける事前設定フォーマットのコンテンツに対して加えられ、ユーザーがキャプチャーコンテンツを続けて見る時、キャプチャーされた表示インターフェイスにおける事前設定フォーマットのコンテンツが動作制御部により実行され得る。
2017532618.tif 000002
【特許請求の範囲】
【請求項１】
端末で適用される情報処理方法であって、
現在の表示インターフェイスについてキャプチャー動作指令を検出する時、現在の表示インターフェイスをキャプチャーし、キャプチャーされた現在の表示インターフェイスを取得することと、
前記キャプチャーされた現在の表示インターフェイスにコンテンツ分析を実行し、前記キャプチャーされた現在の表示インターフェイスに事前設定フォーマットのコンテンツが存在するか否か決定することと、
前記キャプチャーされた現在の表示インターフェイスに前記事前設定フォーマットのコンテンツが存在するならば、前記キャプチャーされた現在の表示インターフェイスに前記事前設定フォーマットのコンテンツに対応する動作制御部を加え、前記キャプチャーされた現在の表示インターフェイスを記憶することを含む、方法。
【請求項２】
前記事前設定フォーマットのコンテンツは、ボイスメッセージ、ビデオ、音楽、テキスト、又は写真を含む、請求項１に記載の方法。
【請求項３】
前記キャプチャーされた現在の表示インターフェイスに事前設定フォーマットのコンテンツに対応する動作制御部を加えることが、
前記事前設定フォーマットのコンテンツのソースを取得することと、
前記ソースに応じて前記事前設定フォーマットのコンテンツに対応するリンクアドレスを生成することと、
前記キャプチャーされた現在の表示インターフェイスの事前設定場所に前記動作制御部の形態で前記リンクアドレスを表示することを含む、請求項１又は２に記載の方法。
【請求項４】
前記動作制御部に対するユーザーによるトリガー動作を受ける時、前記事前設定フォーマットのコンテンツを前記ユーザーに表示することを更に含む、請求項３に記載の方法。
【請求項５】
前記動作制御部に対するユーザーによるトリガー動作を受ける時、前記事前設定フォーマットのコンテンツを前記ユーザーに表示することが、
前記動作制御部に対するユーザーによるトリガー動作を受ける時、前記動作制御部に対応するリンクアドレスを取得することと、
前記リンクアドレスから前記事前設定フォーマットのコンテンツを取得し、前記事前設定フォーマットのコンテンツを前記ユーザーに表示することを含む、請求項４に記載の方法。
【請求項６】
端末で適用される情報処理装置であって、
現在の表示インターフェイスについてキャプチャー動作指令を検出する時、現在の表示インターフェイスをキャプチャーし、キャプチャーされた現在の表示インターフェイスを取得するように構成されたスクリーンキャプチャー処理モジュールと、
前記キャプチャーされた現在の表示インターフェイスにコンテンツ分析を実行し、前記キャプチャーされた現在の表示インターフェイスに事前設定フォーマットのコンテンツが存在するか否か決定するように構成されたコンテンツ分析モジュールと、
前記キャプチャーされた現在の表示インターフェイスに前記事前設定フォーマットのコンテンツが存在するならば、前記キャプチャーされた現在の表示インターフェイスに前記事前設定フォーマットのコンテンツに対応する動作制御部を加え、前記キャプチャーされた現在の表示インターフェイスを記憶するように構成された情報処理モジュールを備える、装置。
【請求項７】
前記事前設定フォーマットのコンテンツは、ボイスメッセージ、ビデオ、音楽、テキスト、又は写真を含む、請求項６に記載の装置。
【請求項８】
前記情報処理モジュールは、
前記事前設定フォーマットのコンテンツのソースを取得するように構成された情報取得サブモジュールと、
前記ソースに応じて前記事前設定フォーマットのコンテンツに対応するリンクアドレスを生成するように構成された情報生成サブモジュールと、
前記キャプチャーされた現在の表示インターフェイスの事前設定場所に前記動作制御部の形態で前記リンクアドレスを表示するように構成された情報表示サブモジュールを備える、請求項６又は７に記載の装置。
【請求項９】
前記動作制御部に対するユーザーによるトリガー動作を受ける時、前記事前設定フォーマットのコンテンツを前記ユーザーに表示するように構成された情報表示モジュールを更に備える、請求項８に記載の装置。
【請求項１０】
前記情報表示モジュールは、前記動作制御部に対するユーザーによるトリガー動作を受ける時、前記動作制御部に対応するリンクアドレスを取得し、また前記リンクアドレスから前記事前設定フォーマットのコンテンツを取得し、前記事前設定フォーマットのコンテンツを前記ユーザーに表示するように構成される、請求項９に記載の装置。
【請求項１１】
プロセッサーと、
前記プロセッサーにより実行可能な指令を記憶するように構成されたメモリーを備え、
前記プロセッサーは、
現在の表示インターフェイスについてキャプチャー動作指令を検出する時、現在の表示インターフェイスをキャプチャーし、キャプチャーされた現在の表示インターフェイスを取得し、
前記キャプチャーされた現在の表示インターフェイスにコンテンツ分析を実行し、前記キャプチャーされた現在の表示インターフェイスに事前設定フォーマットのコンテンツが存在するか否か決定し、
前記キャプチャーされた現在の表示インターフェイスに前記事前設定フォーマットのコンテンツが存在するならば、前記キャプチャーされた現在の表示インターフェイスに前記事前設定フォーマットのコンテンツに対応する動作制御部を加え、前記キャプチャーされた現在の表示インターフェイスを記憶するように構成される、情報処理装置。
【発明の詳細な説明】
【技術分野】
【０００１】
この出願は、２０１５年９月２８日に中華人民共和国の特許庁に出願された、中国特許出願番号２０１５１０６２７２２７.３に基づき、また、その優先権を主張し、その全内容が参照により本明細書に組み込まれる。
本発明は、コンピューター技術の分野に関するものであり、特には、情報処理方法及び装置に関する。
【背景技術】
【０００２】
情報を記憶する方法として、今日、スクリーン・キャプチャー・アプリケーションがユーザーにより広く用いられている。ユーザーが、端末の現在の表示インターフェイスのコンテンツを記憶することを望むならば、現在の表示インターフェイスをショートカットでキャプチャーして記憶し得る。今日、記憶されたキャプチャーコンテンツが全体の画像として表示されるが、キャプチャーコンテンツの幾つかの独立した要素を別々に表示することができない。
【発明の概要】
【課題を解決するための手段】
【０００３】
本開示の実施形態は、情報処理方法及び装置を提供する。技術的解決方法は、次のとおりであり得る。
【０００４】
本開示の実施形態の第１側面によれば、端末で適用される情報処理方法であって、
現在の表示インターフェイスについてキャプチャー動作指令を検出する時、現在の表示インターフェイスをキャプチャーし、キャプチャーされた現在の表示インターフェイスを取得することと、
前記キャプチャーされた現在の表示インターフェイスにコンテンツ分析を実行し、前記キャプチャーされた現在の表示インターフェイスに事前設定フォーマットのコンテンツが存在するか否か決定することと、
前記キャプチャーされた現在の表示インターフェイスに前記事前設定フォーマットのコンテンツが存在するならば、前記キャプチャーされた現在の表示インターフェイスに前記事前設定フォーマットのコンテンツに対応する動作制御部を加え、前記キャプチャーされた現在の表示インターフェイスを記憶することを含む、方法が提供される。
【０００５】
この技術的解決方法では、現在の表示インターフェイスについてのキャプチャー動作指令が検出される時、現在の表示インターフェイスがキャプチャーされ、キャプチャーされた現在の表示インターフェイスにコンテンツ分析が実行され、キャプチャーされた現在の表示インターフェイスに事前設定フォーマットのコンテンツが存在するか否か決定され、キャプチャーされた現在の表示インターフェイスに事前設定フォーマットのコンテンツが存在するならば、事前設定フォーマットのコンテンツに対応する動作制御部がキャプチャーされた現在の表示インターフェイスに加えられ、キャプチャーされた現在の表示インターフェイスが記憶される。キャプチャーされたインターフェイスにおける事前設定フォーマットのコンテンツのために動作制御部が加えられ、ユーザーがキャプチャーコンテンツを続けて見る時に、キャプチャーされたインターフェイスにおける事前設定フォーマットのコンテンツが動作制御部により実行させられる。
【０００６】
代替として、事前設定フォーマットのコンテンツは、ボイスメッセージ、ビデオ、音楽、テキスト、又は写真を含む。
【０００７】
この実施形態では、ボイスメッセージ、ビデオ、音楽、テキスト、又は写真がキャプチャーコンテンツから識別され、対応の動作制御部がそれらのために加えられ、ユーザーが、キャプチャーコンテンツを続けて見る時、対応する動作制御部に応じてキャプチャーコンテンツ内のボイスメッセージ、ビデオ、音楽、テキスト、又は写真を実行し得る。
【０００８】
代替として、前記キャプチャーされた現在の表示インターフェイスに事前設定フォーマットのコンテンツに対応する動作制御部を加えることが、
前記事前設定フォーマットのコンテンツのソースを取得することと、
前記ソースに応じて前記事前設定フォーマットのコンテンツに対応するリンクアドレスを生成することと、
前記キャプチャーされた現在の表示インターフェイスの事前設定場所に前記動作制御部の形態で前記リンクアドレスを表示することを含む。
【０００９】
代替として、方法は、前記動作制御部に対するユーザーによるトリガー動作を受ける時、前記事前設定フォーマットのコンテンツを前記ユーザーに表示することを更に含む。
【００１０】
代替として、前記動作制御部に対するユーザーによるトリガー動作を受ける時、前記事前設定フォーマットのコンテンツを前記ユーザーに表示することが、
前記動作制御部に対するユーザーによるトリガー動作を受ける時、前記動作制御部に対応するリンクアドレスを取得することと、
前記リンクアドレスから前記事前設定フォーマットのコンテンツを取得し、前記事前設定フォーマットのコンテンツを前記ユーザーに表示することを含む。
【００１１】
この技術的解決方法では、キャプチャーコンテンツにおける事前設定フォーマットのコンテンツのソースがルックアップされ、ソースに応じて事前設定フォーマットのコンテンツのためにリンクアドレスが生成され、リンクアドレスが、キャプチャーコンテンツにおける動作制御部の形態で表示され、キャプチャーされたインターフェイスにおける事前設定フォーマットのコンテンツは、ユーザーがキャプチャーコンテンツを見る時に、再表示されるように制御され得る。
【００１２】
本開示の実施形態の第２側面によれば、端末で適用される情報処理装置であって、
現在の表示インターフェイスについてキャプチャー動作指令を検出する時、現在の表示インターフェイスをキャプチャーし、キャプチャーされた現在の表示インターフェイスを取得するように構成されたスクリーンキャプチャー処理モジュールと、
前記キャプチャーされた現在の表示インターフェイスにコンテンツ分析を実行し、前記キャプチャーされた現在の表示インターフェイスに事前設定フォーマットのコンテンツが存在するか否か決定するように構成されたコンテンツ分析モジュールと、
前記キャプチャーされた現在の表示インターフェイスに前記事前設定フォーマットのコンテンツが存在するならば、前記キャプチャーされた現在の表示インターフェイスに前記事前設定フォーマットのコンテンツに対応する動作制御部を加え、前記キャプチャーされた現在の表示インターフェイスを記憶するように構成された情報処理モジュールを備える、装置が提供される。
【００１３】
この技術的解決方法では、現在の表示インターフェイスについてのキャプチャー動作指令が検出される時、現在の表示インターフェイスがキャプチャーされ、キャプチャーされた現在の表示インターフェイスにコンテンツ分析が実行され、キャプチャーされた現在の表示インターフェイスに事前設定フォーマットのコンテンツが存在するか否か決定され、キャプチャーされた現在の表示インターフェイスに事前設定フォーマットのコンテンツが存在するならば、事前設定フォーマットのコンテンツに対応する動作制御部がキャプチャーされた現在の表示インターフェイスに加えられ、キャプチャーされた現在の表示インターフェイスが記憶される。キャプチャーされたインターフェイスにおける事前設定フォーマットのコンテンツに対して動作制御部が加えられ、ユーザーがキャプチャーコンテンツを続けて見る時に、キャプチャーされたインターフェイスにおける事前設定フォーマットのコンテンツが動作制御部により実行させられる。
【００１４】
代替として、事前設定フォーマットのコンテンツは、ボイスメッセージ、ビデオ、音楽、テキスト、又は写真を含む。
【００１５】
この実施形態では、ボイスメッセージ、ビデオ、音楽、テキスト、又は写真がキャプチャーコンテンツから識別され、対応の動作制御部がそれらのために加えられ、ユーザーは、キャプチャーコンテンツを続けて見る時、対応する動作制御部に応じてキャプチャーコンテンツ内のボイスメッセージ、ビデオ、音楽、テキスト、又は写真を実行し得る。
【００１６】
代替として、前記情報処理モジュールは、
前記事前設定フォーマットのコンテンツのソースを取得するように構成された情報取得サブモジュールと、
前記ソースに応じて前記事前設定フォーマットのコンテンツに対応するリンクアドレスを生成するように構成された情報生成サブモジュールと、
前記キャプチャーされた現在の表示インターフェイスの事前設定場所に前記動作制御部の形態で前記リンクアドレスを表示するように構成された情報表示サブモジュールを備える。
【００１７】
代替として、装置は、前記動作制御部に対するユーザーによるトリガー動作を受ける時、前記事前設定フォーマットのコンテンツを前記ユーザーに表示するように構成された情報表示モジュールを更に備える。
【００１８】
代替として、前記情報表示モジュールは、前記動作制御部に対するユーザーによるトリガー動作を受ける時、前記動作制御部に対応するリンクアドレスを取得し、また前記リンクアドレスから前記事前設定フォーマットのコンテンツを取得し、前記事前設定フォーマットのコンテンツを前記ユーザーに表示するように構成される。
【００１９】
この技術的解決方法では、キャプチャーコンテンツにおける事前設定フォーマットのコンテンツのソースがルックアップされ、ソースに応じて事前設定フォーマットのコンテンツのためにリンクアドレスが生成され、リンクアドレスが、キャプチャーコンテンツにおける動作制御部の形態で表示され、キャプチャーされたインターフェイスにおける事前設定フォーマットのコンテンツは、ユーザーがキャプチャーコンテンツを見る時に、再表示されるように制御され得る。
【００２０】
本開示の実施形態の第３側面によれば、プロセッサーと、
前記プロセッサーにより実行可能な指令を記憶するように構成されたメモリーを備え、
前記プロセッサーは、
現在の表示インターフェイスについてキャプチャー動作指令を検出する時、現在の表示インターフェイスをキャプチャーし、キャプチャーされた現在の表示インターフェイスを取得し、
前記キャプチャーされた現在の表示インターフェイスにコンテンツ分析を実行し、前記キャプチャーされた現在の表示インターフェイスに事前設定フォーマットのコンテンツが存在するか否か決定し、
前記キャプチャーされた現在の表示インターフェイスに前記事前設定フォーマットのコンテンツが存在するならば、前記キャプチャーされた現在の表示インターフェイスに前記事前設定フォーマットのコンテンツに対応する動作制御部を加え、前記キャプチャーされた現在の表示インターフェイスを記憶するように構成される、情報処理装置が提供される。
【００２１】
本開示の実施形態により提供される技術的解決方法は、次の有利な効果を有し得る。
【００２２】
本技術的解決方法では、現在の表示インターフェイスについてのキャプチャー動作指令が検出される時、現在の表示インターフェイスがキャプチャーされ、キャプチャーされた現在の表示インターフェイスにコンテンツ分析が実行され、キャプチャーされた現在の表示インターフェイスに事前設定フォーマットのコンテンツが存在するか否か決定され、キャプチャーされた現在の表示インターフェイスに事前設定フォーマットのコンテンツが存在するならば、事前設定フォーマットのコンテンツに対応する動作制御部がキャプチャーされた現在の表示インターフェイスに加えられ、キャプチャーされた現在の表示インターフェイスが記憶される。キャプチャーされたインターフェイスにおける事前設定フォーマットのコンテンツに対して動作制御部が加えられ、ユーザーがキャプチャーコンテンツを続けて見る時に、キャプチャーされたインターフェイスにおける事前設定フォーマットのコンテンツが動作制御部により実行させられる。
【００２３】
上述の一般的な記述及び後続の詳細な記述の両方が、単なる例及び説明的なものであり、本開示を制限しないものと理解される。
【図面の簡単な説明】
【００２４】
本明細書に組み込まれ、またその一部を構成する添付図面は、本開示に合致する実施形態を図示し、また、本記述と一緒に本開示の原理の説明に用いられる。
【００２５】
【図１】図１は、実施形態例に係る情報処理方法を示すフローチャートである。
【００２６】
【図２】図２は、別の実施形態例に係る情報処理方法を示すフローチャートである。
【００２７】
【図３】図３は、実施形態例に係る情報処理装置を示すブロック図である。
【００２８】
【図４】図４は、別の実施形態例に係る情報処理装置を示すブロック図である。
【００２９】
【図５】図５は、図４の実施形態例に示された情報処理モジュールを示すブロック図である。
【００３０】
【図６】図６は、実施形態例に係る情報処理装置を示すブロック図である。
【００３１】
上述の添付図面により本開示の実施形態が提供され、以降により詳細に記述される。これらの添付図面及び対応の記述は、如何なる手段によっても本開示の範囲を制限するように意図されず、本開示の概念が、特定の実施形態の参照により当業者に説明される。
【発明を実施するための形態】
【００３２】
ここで、実施形態例に詳細な参照が為され、これらの例が添付図面に図示される。後続の記述が添付図面を参照し、異図の同一番号が、そうでないように示されなければ、同一又は同様の要素を表示する。実施形態例の後続の記述で述べる実施例が、本開示に一致する全実施例を代表するものではない。むしろ、これらは、添付請求項に掲載された本開示に関連する側面に合致する装置及び方法の単なる例である。
【００３３】
図１は、実施形態例に係る情報処理方法を示すフローチャートである。携帯電話、タブレット・コンピュータ、スマートテレビ及び同種のものといった端末において本情報処理方法を適用する例を挙げて、この実施形態が記述される。図１を参照すると、情報処理方法は、次のステップを含み得る。
【００３４】
ステップ１０１では、現在の表示インターフェイスについてキャプチャー動作指令を検出する時、現在の表示インターフェイスがキャプチャーされ、キャプチャーされた現在の表示インターフェイスが取得される。
【００３５】
ステップ１０２では、コンテンツ分析が、キャプチャーされた現在の表示インターフェイスに実行され、キャプチャーされた現在の表示インターフェイスに事前設定フォーマットのコンテンツが存在するか否かが決定される。
【００３６】
ステップ１０３では、キャプチャーされた現在の表示インターフェイスに事前設定フォーマットのコンテンツが存在するならば、事前設定フォーマットのコンテンツに対応する動作制御部が、キャプチャーされた現在の表示インターフェイスに加えられ、キャプチャーされた現在の表示インターフェイスが記憶される。
【００３７】
結論として、この技術的な解決方法では、現在の表示インターフェイスについてのキャプチャー動作指令が検出される時、現在の表示インターフェイスがキャプチャーされ、キャプチャーされた現在の表示インターフェイスにコンテンツ分析が実行され、キャプチャーされた現在の表示インターフェイスに事前設定フォーマットのコンテンツが存在するか否か決定され、キャプチャーされた現在の表示インターフェイスに事前設定フォーマットのコンテンツが存在するならば、事前設定フォーマットのコンテンツに対応する動作制御部がキャプチャーされた現在の表示インターフェイスに加えられ、キャプチャーされた現在の表示インターフェイスが記憶される。キャプチャーされたインターフェイスにおける事前設定フォーマットのコンテンツに対して動作制御部が加えられ、ユーザーがキャプチャーコンテンツを続けて見る時に、キャプチャーされたインターフェイスにおける事前設定フォーマットのコンテンツが動作制御部により実行させられる。
【００３８】
図２は、別の実施形態例に係る情報処理方法を示すフローチャートである。携帯電話、タブレット・コンピュータ、スマートテレビ及び同種のものといった端末において本情報処理方法を適用する例を挙げて、この実施形態が記述される。図２を参照すると、情報処理方法は、次のステップを含み得る。
【００３９】
ステップ２０１では、端末の現在の表示インターフェイスについてキャプチャー動作指令が検出される。
【００４０】
ステップ２０２では、現在の表示インターフェイスについてキャプチャー動作指令が検出される時、現在の表示インターフェイスがキャプチャーされ、キャプチャーされた現在の表示インターフェイスが取得される。
【００４１】
ステップ２０３では、コンテンツ分析が、キャプチャーされた現在の表示インターフェイスに実行され、キャプチャーされた現在の表示インターフェイスに事前設定フォーマットのコンテンツが存在するか否かが決定される。
【００４２】
この技術的な解決方法においては、事前設定フォーマットのコンテンツが、ボイスメッセージ、ビデオ、音楽、テキスト、又は写真を含む。
【００４３】
次に、現在のキャプチャーされた表示インターフェイスにボイスメッセージ、ビデオ、音楽、テキスト、又は写真が存在するか否か決定するべく、キャプチャーされた表示インターフェイスにコンテンツ分析が実行され、順次コンテンツの読取を行う。
【００４４】
キャプチャーされた現在の表示インターフェイスに事前設定フォーマットのコンテンツが存在するか否かについて、ステップ２０４が実行される。
【００４５】
キャプチャーされた現在の表示インターフェイスに事前設定フォーマットのコンテンツが存在しないならば、キャプチャーされた表示インターフェイスが記憶される。
【００４６】
ステップ２０４では、事前設定フォーマットのコンテンツに対応する動作制御部が、キャプチャーされた現在の表示インターフェイスに加えられ、キャプチャーされた現在の表示インターフェイスが記憶される。
【００４７】
この技術的な解決方法においては、事前設定フォーマットのコンテンツに対応する動作制御部をキャプチャーされた現在の表示インターフェイスに加えることが、次のステップを含む。
【００４８】
事前設定フォーマットのコンテンツのソースが取得される。
【００４９】
この技術的な解決方法においては、ローカルで又はネットワークサーバーを介して事前設定フォーマットのコンテンツのキーワードを検索することにより、事前設定フォーマットのコンテンツのソースが取得され得る。
【００５０】
ソースに応じて事前設定フォーマットのコンテンツに対応するリンクアドレスが生成される。
【００５１】
本開示の実施形態においては、事前設定フォーマットのコンテンツのソースがローカルであれば、事前設定乱数生成アルゴリズムに応じて文字列が生成され、生成された文字列がリンクアドレスとして用いられ、事前設定フォーマットのコンテンツとリンクアドレスが対応付けられて記憶される。事前設定フォーマットのコンテンツのソースがネットワークから取得されるならば、コンテンツのネットワークアドレスがリンクアドレスとして直に用いられ、事前設定フォーマットのコンテンツに対応して記憶される。
【００５２】
リンクアドレスは、キャプチャーされた現在の表示インターフェイスの事前設定場所に動作制御部の形態で表示される。
【００５３】
この技術的な解決方法においては、事前設定フォーマットのコンテンツに対応する動作制御部が、キャプチャーされた表示インターフェイスに加えられ、また、事前設定フォーマットのコンテンツのソースにて動作制御部を命名し、次に、キャプチャーされた表示インターフェイス上に表示されるために用いられ、例えば、事前設定フォーマットのコンテンツがあるアプリケーションに由来するとすれば、そのアプリケーション名が、動作制御部を命名するために用いられ得る；若しくは、事前設定フォーマットのコンテンツ名にて動作制御部を命名し、続いてキャプチャーされた表示インターフェイスに表示されるために用いられ、例えば、事前設定フォーマットのコンテンツが音楽であれば、音楽のタイトルが動作制御部を命名するために用いられる。
【００５４】
この実施形態においては、ボイスメッセージ、ビデオ、音楽、テキスト、又は写真が、キャプチャーコンテンツから識別され、対応の動作制御部がそれらのために加えられ、ユーザーは、キャプチャーコンテンツを続けて見る時、対応する動作制御部に応じてキャプチャーコンテンツ内のボイスメッセージ、ビデオ、音楽、テキスト、又は写真を実行し得る。
【００５５】
ステップ２０５では、動作制御部に対するユーザーによるトリガー動作を受ける時、事前設定フォーマットのコンテンツがユーザーに表示される。
【００５６】
この技術的な解決方法においては、動作制御部に対するユーザーによるトリガー動作が受け取られる時、動作制御部に対応するリンクアドレスが取得される；及びリンクアドレスから事前設定フォーマットのコンテンツが取得され、ユーザーに表示される。
【００５７】
この技術的な解決方法においては、キャプチャーコンテンツにおける事前設定フォーマットのコンテンツのソースがルックアップされ、ソースに応じて事前設定フォーマットのコンテンツのためにリンクアドレスが生成され、リンクアドレスが、キャプチャーコンテンツにおける動作制御部の形態で表示され、キャプチャーされたインターフェイスにおける事前設定フォーマットのコンテンツは、ユーザーがキャプチャーコンテンツを見る時に、再表示されるように制御され得る。
【００５８】
結論として、この技術的な解決方法では、現在の表示インターフェイスについてのキャプチャー動作指令が検出される時、現在の表示インターフェイスがキャプチャーされ、キャプチャーされた現在の表示インターフェイスにコンテンツ分析が実行され、キャプチャーされた現在の表示インターフェイスに事前設定フォーマットのコンテンツが存在するか否か決定され、キャプチャーされた現在の表示インターフェイスに事前設定フォーマットのコンテンツが存在するならば、事前設定フォーマットのコンテンツに対応する動作制御部がキャプチャーされた現在の表示インターフェイスに加えられ、キャプチャーされた現在の表示インターフェイスが記憶される。キャプチャーされたインターフェイスにおける事前設定フォーマットのコンテンツに対して動作制御部が加えられ、ユーザーがキャプチャーコンテンツを続けて見る時に、キャプチャーされたインターフェイスにおける事前設定フォーマットのコンテンツが動作制御部により実行させられる。
【００５９】
以降、上述の技術的な解決方法の具体的応用が、特定シナリオに併せて詳細に記述される。
【００６０】
シナリオ１：ユーザーによりメッセージ会話表示インターフェイスをキャプチャーするシナリオにて技術的な解決方法が用いられる。コンテンツ分析が、キャプチャーされた現在の表示インターフェイスに実行されるならば、キャプチャーされた表示インターフェイスが音声会話メッセージを含むことが取得される。次に、ローカルで記憶される音声会話メッセージのために音声会話メッセージを指定するリンクアドレスを生成し、動作制御部の態様でキャプチャーされた現在の表示インターフェイスにリンクアドレスを表示し、次に、キャプチャーされた表示インターフェイスを記憶するように、技術的な解決方法が用いられる。次に、ユーザーがキャプチャーされた表示インターフェイスを見て、インターフェイスが音声会話を含み、音声会話の内容を再び聞きたいと望むならば、この動作制御部をタッチし、端末装置は、動作制御部に関連したリンクアドレスに応じて再生するため、対応の音声会話メッセージをローカルから呼び出す。
【００６１】
シナリオ２：ユーザーによりビデオ再生インターフェイスをキャプチャーするシナリオにて技術的な解決方法が用いられる。コンテンツ分析が、キャプチャーされた現在の表示インターフェイスに実行されるならば、キャプチャーされた表示インターフェイスがビデオのフレームであることが取得される。次に、ビデオ情報を識別し、ローカル又はネットワークからビデオ情報を検索し、ビデオ情報のリンクアドレスを取得し、動作制御部の形態でキャプチャーされた現在の表示インターフェイスにおけるリンクアドレスを表示し、次に、キャプチャーされた表示インターフェイスを記憶するように、技術的な解決方法が用いられる。次に、ユーザーがキャプチャーされた表示インターフェイスを見て、インターフェイスがビデオのフレームであり、ビデオを視聴したいと望むならば、この動作制御部をタッチし、端末装置は、動作制御部に関連したリンクアドレスに応じて再生するため、対応のビデオをローカル又はネットワークから呼び出す。
【００６２】
シナリオ３：ユーザーにより音楽再生インターフェイスをキャプチャーするシナリオにて技術的な解決方法が用いられる。コンテンツ分析が、キャプチャーされた現在の表示インターフェイスに実行されるならば、キャプチャーされた表示インターフェイスが音楽再生インターフェイスであることが取得される。次に、音楽情報を識別し、ローカル又はネットワークから音楽情報を検索し、音楽情報のリンクアドレスを取得し、動作制御部の形態でキャプチャーされた現在の表示インターフェイスにおけるリンクアドレスを表示し、次に、キャプチャーされた表示インターフェイスを記憶するように、技術的な解決方法が用いられる。次に、ユーザーがキャプチャーされた表示インターフェイスを見て、インターフェイスが音楽であり、音楽を視聴したいと望むならば、この動作制御部をタッチし、端末装置は、動作制御部に関連したリンクアドレスに応じて再生するため、対応の音楽をローカル又はネットワークから呼び出す。
【００６３】
シナリオ４：ユーザーによりテキスト表示インターフェイスをキャプチャーするシナリオにて技術的な解決方法が用いられる。コンテンツ分析が、キャプチャーされた現在の表示インターフェイスに実行されるならば、キャプチャーされた表示インターフェイスがテキスト表示インターフェイスであることが取得される。次に、ローカル又はネットワークから表示テキストのリンクアドレスを検索し、動作制御部の形態でキャプチャーされた現在の表示インターフェイスにおけるリンクアドレスを表示し、次に、キャプチャーされた表示インターフェイスを記憶するように、技術的な解決方法が用いられる。次に、ユーザーがキャプチャーされた表示インターフェイスを見て、インターフェイスがテキストであり、テキストを編集したいと望むならば、この動作制御部をタッチし、端末装置は、動作制御部に関連したリンクアドレスに応じて、対応のテキストをローカル又はネットワークから取得して表示する。
【００６４】
本開示の装置を提示する実施形態は、次のとおりである。本開示の実施形態に係る方法を実施するために装置が用いられる。装置の実施形態において記述されない詳細に関しては、方法の実施形態を参照にする。
【００６５】
図３は、実施形態例に係る情報処理装置３００を示すブロック図である。情報処理装置３００は、ソフトウェア、ハードウェア、又はこれらの組み合わせにより具現化される端末の全部又は一部であり得、端末が、携帯電話、タブレット・コンピュータ、スマートテレビ及び同種のものであり得る。情報処理装置３００は、スクリーンキャプチャー処理モジュール３０１、コンテンツ分析モジュール３０２及び情報処理モジュール３０３を含み得る。
【００６６】
スクリーンキャプチャー処理モジュール３０１は、現在の表示インターフェイスについてキャプチャー動作指令を検出する時、現在の表示インターフェイスをキャプチャーし、キャプチャーされた現在の表示インターフェイスを取得するように構成される。
【００６７】
コンテンツ分析モジュール３０２は、キャプチャーされた現在の表示インターフェイスにコンテンツ分析を実行し、キャプチャーされた現在の表示インターフェイスに事前設定フォーマットのコンテンツが存在するか否か決定するように構成される。
【００６８】
情報処理モジュール３０３は、キャプチャーされた現在の表示インターフェイスに事前設定フォーマットのコンテンツが存在するならば、キャプチャーされた現在の表示インターフェイスに事前設定フォーマットのコンテンツに対応する動作制御部を加え、キャプチャーされた現在の表示インターフェイスを記憶するように構成される。
【００６９】
この技術的解決方法では、現在の表示インターフェイスについてのキャプチャー動作指令が検出される時、現在の表示インターフェイスがキャプチャーされ、キャプチャーされた現在の表示インターフェイスにコンテンツ分析が実行され、キャプチャーされた現在の表示インターフェイスに事前設定フォーマットのコンテンツが存在するか否か決定され、キャプチャーされた現在の表示インターフェイスに事前設定フォーマットのコンテンツが存在するならば、事前設定フォーマットのコンテンツに対応する動作制御部がキャプチャーされた現在の表示インターフェイスに加えられ、キャプチャーされた現在の表示インターフェイスが記憶される。キャプチャーされたインターフェイスにおける事前設定フォーマットのコンテンツのために動作制御部が加えられ、ユーザーがキャプチャーコンテンツを続けて見る時に、キャプチャーされたインターフェイスにおける事前設定フォーマットのコンテンツが動作制御部により実行させられる。
【００７０】
図４は、別の実施形態例に係る情報処理装置４００を示すブロック図である。情報処理装置４００は、ソフトウェア、ハードウェア、又はこれらの組み合わせにより具現化される端末の全部又は一部であり得、端末が、携帯電話、タブレット・コンピュータ、スマートテレビ及び同種のものであり得る。情報処理装置４００は、スクリーンキャプチャー処理モジュール４０１、コンテンツ分析モジュール４０２、情報処理モジュール４０３及び情報表示モジュール４０４を含み得る。
【００７１】
スクリーンキャプチャー処理モジュール４０１は、現在の表示インターフェイスについてキャプチャー動作指令を検出する時、現在の表示インターフェイスをキャプチャーし、キャプチャーされた現在の表示インターフェイスを取得するように構成される。
【００７２】
コンテンツ分析モジュール４０２は、キャプチャーされた現在の表示インターフェイスにコンテンツ分析を実行し、キャプチャーされた現在の表示インターフェイスに事前設定フォーマットのコンテンツが存在するか否か決定するように構成される。
【００７３】
情報処理モジュール４０３は、キャプチャーされた現在の表示インターフェイスに事前設定フォーマットのコンテンツが存在するならば、キャプチャーされた現在の表示インターフェイスに事前設定フォーマットのコンテンツに対応する動作制御部を加え、キャプチャーされた現在の表示インターフェイスを記憶するように構成される。
【００７４】
情報表示モジュール４０４は、動作制御部に対するユーザーによるトリガー動作を受ける時、事前設定フォーマットのコンテンツをユーザーに表示するように構成される。
【００７５】
事前設定フォーマットのコンテンツは、ボイスメッセージ、ビデオ、音楽、テキスト、又は写真を含む。
【００７６】
この実施形態においては、ボイスメッセージ、ビデオ、音楽、テキスト、又は写真がキャプチャーコンテンツから識別され、対応の動作制御部がそれらのために加えられ、ユーザーは、キャプチャーコンテンツを続けて見る時、対応する動作制御部に応じてキャプチャーコンテンツ内のボイスメッセージ、ビデオ、音楽、テキスト、又は写真を実行し得る。
【００７７】
情報表示モジュール４０４は、動作制御部に対するユーザーによるトリガー動作を受ける時に動作制御部に対応するリンクアドレスを取得し、またリンクアドレスから事前設定フォーマットのコンテンツを取得し、ユーザーにそれを表示するように構成される。
【００７８】
代替として、図５を参照すると、情報処理モジュール４０３は、情報取得サブモジュール４０３ａ、情報生成サブモジュール ４０３ｂ及び情報表示サブモジュール４０３ｃを含み得る。
【００７９】
情報取得サブモジュール４０３ａは、事前設定フォーマットのコンテンツのソースを取得するように構成される。
【００８０】
情報生成サブモジュール４０３ｂは、ソースに応じて事前設定フォーマットのコンテンツに対応するリンクアドレスを生成するように構成される。
【００８１】
情報表示サブモジュール４０３ｃは、キャプチャーされた現在の表示インターフェイスの事前設定場所に動作制御部の形態でリンクアドレスを表示するように構成される。
【００８２】
この技術的解決方法では、キャプチャーコンテンツにおける事前設定フォーマットのコンテンツに対してそのソースがルックアップされ、ソースに応じて事前設定フォーマットのコンテンツのためにリンクアドレスが生成され、リンクアドレスが、キャプチャーコンテンツにおける動作制御部の形態で表示され、キャプチャーされたインターフェイスにおける事前設定フォーマットのコンテンツは、ユーザーがキャプチャーコンテンツを見る時に、再表示されるように制御され得る。
【００８３】
結論として、この技術的な解決方法では、現在の表示インターフェイスについてのキャプチャー動作指令が検出される時、現在の表示インターフェイスがキャプチャーされ、キャプチャーされた現在の表示インターフェイスにコンテンツ分析が実行され、キャプチャーされた現在の表示インターフェイスに事前設定フォーマットのコンテンツが存在するか否か決定され、キャプチャーされた現在の表示インターフェイスに事前設定フォーマットのコンテンツが存在するならば、事前設定フォーマットのコンテンツに対応する動作制御部がキャプチャーされた現在の表示インターフェイスに加えられ、キャプチャーされた現在の表示インターフェイスが記憶される。キャプチャーされたインターフェイスにおける事前設定フォーマットのコンテンツのために動作制御部が加えられ、ユーザーがキャプチャーコンテンツを続けて見る時に、キャプチャーされたインターフェイスにおける事前設定フォーマットのコンテンツが動作制御部により実行させられる。
【００８４】
上述の実施形態における装置に関しては、その個別のモジュールのための動作を実行するための特定の方法が、方法に関する実施形態で詳細に記述されており、ここで再び詳述しない。
【００８５】
図６は、実施形態例に係る情報処理装置５００を示すブロック図である。例えば、装置５００は、携帯電話、タブレット・コンピュータ、スマートテレビ及び同種のものであり得る。
【００８６】
図６を参照すると、装置５００は、次の１以上のコンポーネントを含み得る：処理コンポーネント５０２、メモリー５０４、電源コンポーネント５０６、マルチメディアコンポーネント５０８、オーディオコンポーネント５１０、入出力（Ｉ／Ｏ）インターフェイス５１２、センサーコンポーネント５１４及び通信コンポーネント５１６。
【００８７】
典型的には、処理コンポーネント５０２は、ディスプレイ、電話通話、データ通信、カメラ動作、及び録音動作に関連する動作といった、装置５００の全体動作を制御する。処理コンポーネント５０２は、上述した方法のステップの全て又は一部を遂行するように指令を実行するべく１以上のプロセッサー５２０を含み得る。更には、処理コンポーネント５０２は、処理コンポーネント５０２と他のコンポーネントの間の相互作用を促進する１以上のモジュールを含み得る。例えば、処理コンポーネント５０２は、マルチメディアコンポーネント５０８と処理コンポーネント５０２の間の相互作用を促進するべくマルチメディアモジュールを含み得る。
【００８８】
メモリー５０４は、装置５００の動作をサポートするべく様々な種類のデータを記憶するように構成される。そのようなデータの例は、任意のアプリケーション又は装置５００上で実行される方法のための指令、コンタクトデータ、電話帳データ、メッセージ、写真、ビデオ等を含む。メモリー５０４は、スタティック・ランダム・アクセス・メモリー（ＳＲＡＭ）、電気的に消去可能なプログラム可能リードオンリー・メモリー（ＥＥＰＲＯＭ）、消去可能なプログラム可能リードオンリー・メモリー（ＥＰＲＯＭ）、プログラム可能リードオンリー・メモリー（ＰＲＯＭ）、リードオンリー・メモリー（ＲＯＭ）、磁気メモリー、フラッシュメモリー、磁気又は光学ディスクといった任意の種類の揮発又は不揮発メモリー装置、又は、これらの組み合わせを用いて実施され得る。
【００８９】
電源コンポーネント５０６は、装置５００の様々なコンポーネントに電力を供給するように構成される。電源コンポーネント５０６は、電力管理システム、１以上の電源、及び、装置５００の電力の生成、制御、及び分配に関する他のコンポーネントを含み得る。
【００９０】
マルチメディアコンポーネント５０８は、装置５００とユーザーの間の出力インターフェイスを提供するように構成されたスクリーンを含む。幾つかの実施形態では、スクリーンは、液晶表示ディスプレイ（ＬＣＤ）及びタッチパネル（ＴＰ）を含み得る。スクリーンがタッチパネルを含むならば、スクリーンは、タッチスクリーンとして実施され、ユーザーからの入力信号を受け取る。タッチパネルは、タッチ、スワイプ、及び、タッチパネル上のジェスチャーを検知するために１以上のタッチ・センサーを含む。タッチ・センサーは、タッチ又はスワイプ・アクションの境界を検知するだけでなく、タッチ又はスワイプ・アクションに関連した継続時間及び圧力も検知し得る。幾つかの実施形態においては、マルチメディアコンポーネント５０８が、フロントカメラ及び／又はリアカメラを含む。フロントカメラとリアカメラは、装置５００が写真モード又はビデオモードといった動作モードの時、外部マルチメディアデータを受け取り得る。フロントカメラとリアカメラそれぞれは、固定光学レンズ系であり、又は、フォーカシング及び光学ズーム機能を有し得る。
【００９１】
オーディオコンポーネント５１０は、オーディオ信号を出力及び／又は入力するように構成される。例えば、オーディオコンポーネント５１０は、装置５００が、通話モード、録音モード、及び音声認識モードといった動作モードにある時、外部音声信号を受け取るように構成されたマイクロフォン（ＭＩＣ）を含む。受け取られた音声信号は、更に、メモリー５０４に記憶され、又は、通信コンポーネント５１６を介して伝送され得る。幾つかの実施形態においては、オーディオコンポーネント５１０は、音声信号を出力するためにラウドスピーカーを含む。
【００９２】
Ｉ／Ｏインターフェイス５１２は、キーボード、クリックホイール、ボタン、及び同種のものといった周辺インターフェイスモジュールと処理コンポーネント５０２との間のインターフェイスを提供するように構成される。ボタンは、ホームボタン、ボリュームボタン、開始ボタン、及びロックボタンを含み得るが、これらに限定されない。
【００９３】
センサーコンポーネント５１４は、１以上のセンサーを含み、装置５００の様々な側面のステータス評価を提供する。例えば、センサーコンポーネント５１４は、装置５００のオン・オフ状態、装置５００のコンポーネント（例えば、ディスプレイスクリーン及びキーパッド）の相対的なポジショニングを検出し得る。センサーコンポーネント５１４は、更に、装置５００又は装置５００のコンポーネントの位置の変化、装置５００に接触するユーザーの存在又は不在、装置５００の配向又は加速／減速、及び装置５００の温度の変化を検出し得る。センサーコンポーネント５１４は、物理的接触なしで近くの対象物の存在を検出するように構成された近接センサーを含み得る。センサーコンポーネント５１４は、更に、イメージングアプリケーションでの使用のため、ＣＭＯＳ又はＣＣＤイメージセンサーといった光センサーを含み得る。幾つかの実施形態においては、センサーコンポーネント５１４は、加速度センサー、ジャイロスコープ、磁気センサー、圧力センサー、又は温度センサーも含み得る。
【００９４】
通信コンポーネント５１６は、装置と他の端末間の有線又は無線通信を促進するように構成される。装置５００は、ＷｉＦｉ、２Ｇ、又は３Ｇ、又はこれらの組み合わせといった、通信規格に基づいて無線ネットワークにアクセスすることができる。ある実施形態例では、通信コンポーネント５１６は、ブロードキャスト・チャンネルを介して外部ブロードキャスト制御システムからブロードキャスト信号又はブロードキャスト関連情報を受け取る。ある実施形態例では、通信コンポーネント５１６は、更に、近距離無線通信（ＮＦＣ）モジュールを含み、単局通信を促進する。例えば、ＮＦＣモジュールは、無線自動識別（ＲＦＩＤ）技術、赤外線通信規格（ＩｒＤＡ）技術、ウルトラ・ワイドバンド（ＵＷＢ）技術、ブルートゥース（登録商標）（ＢＴ）技術、又は他の技術に基づいて実施され得る。
【００９５】
実施形態例では、装置５００は、上述の方法を実行するため、特定用途向け集積回路（ＡＳＩＣ）、デジタル信号プロセッサー（ＤＳＰ）、デジタル信号処理装置（ＤＳＰＤ）、プログラム可能論理装置（ＰＬＤ）、フィールド・プログラマブル・ゲート・アレイ（ＦＰＧＡ）、コントローラー、マイクコントローラー、マイクロプロセッサー、又は他の電子コンポーネントといった１以上の電子要素で実施され得る。
【００９６】
実施形態例では、上述の方法を実行するように装置５００のプロセッサー５２０により実行可能な指令を含むメモリー５０４といった、指令を含む非一時的なコンピューター読み取り可能記憶媒体が更に提供される。例えば、非一時的なコンピューター読み取り可能記憶媒体は、ＲＯＭ、ＲＡＭ、ＣＤ−ＲＯＭ、磁気テープ、フロッピーディスク、光データ記憶装置、及び同種のものであり得る。
【００９７】
非一時的なコンピューター読み取り可能記憶媒体は、そこに記憶された指令を有する。装置５００のプロセッサーにより実行される時、指令は、装置５００に上述の情報処理方法を実行させる。
【００９８】
上述され、また添付図面に図示されたとおりの構成に本開示が限定されず、様々な修正や変更がその範囲から逸脱することなく可能であるものと理解される。本開示の範囲は、添付請求項によりのみ限定されることが意図される。
【図１】
2017532618.tif 000003
【図２】
2017532618.tif 000004
【図３】
2017532618.tif 000005
【図４】
2017532618.tif 000006
【図５】
2017532618.tif 000007
【図６】
2017532618.tif 000008
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
端末で適用される情報処理方法であって、
現在の表示インターフェイスについてキャプチャー動作指令を検出する時、表示インターフェイスをキャプチャーし、キャプチャーされた現在の表示インターフェイスを取得することと、
前記キャプチャーされた表示インターフェイスにコンテンツ分析を実行し、前記キャプチャーされた表示インターフェイスが事前設定フォーマットのコンテンツを含むか否か決定することと、
前記キャプチャーされた表示インターフェイスが前記コンテンツを含むならば、前記キャプチャーされた表示インターフェイスに前記コンテンツに対応する動作制御部を加え、前記動作制御部が加えられたキャプチャーされた表示インターフェイスを記憶することを含む、方法。
【請求項２】
前記事前設定フォーマットのコンテンツは、ボイスメッセージ、ビデオ、音楽、テキスト、又は写真を含む、請求項１に記載の方法。
【請求項３】
前記キャプチャーされた表示インターフェイスに前記動作制御部を加えることが、
前記コンテンツのソースを取得することと、
前記ソースに応じて前記コンテンツに対応するリンクアドレスを生成することと、
前記キャプチャーされた表示インターフェイスの事前設定場所に前記動作制御部として前記リンクアドレスを表示することを含む、請求項１又は２に記載の方法。
【請求項４】
前記動作制御部に対するトリガー動作を受けるに応答して前記コンテンツを表示することを更に含む、請求項１〜３のいずれか一項に記載の方法。
【請求項５】
前記動作制御部に対するトリガー動作を受けるに応答して前記コンテンツを表示することが、
前記トリガー動作を受ける時、前記リンクアドレスを取得することと、
前記リンクアドレスから前記コンテンツを取得し、取得した前記コンテンツを表示することを含む、請求項１〜４のいずれか一項に記載の方法。
【請求項６】
端末で適用される情報処理装置であって、
現在の表示インターフェイスについてキャプチャー動作指令を検出する時、現在の表示インターフェイスをキャプチャーし、キャプチャーされた現在の表示インターフェイスを取得するように構成されたスクリーンキャプチャー処理モジュールと、
前記キャプチャーされた現在の表示インターフェイスにコンテンツ分析を実行し、前記キャプチャーされた現在の表示インターフェイスに事前設定フォーマットのコンテンツが存在するか否か決定するように構成されたコンテンツ分析モジュールと、
前記キャプチャーされた現在の表示インターフェイスに前記事前設定フォーマットのコンテンツが存在するならば、前記キャプチャーされた現在の表示インターフェイスに前記事前設定フォーマットのコンテンツに対応する動作制御部を加え、前記キャプチャーされた現在の表示インターフェイスを記憶するように構成された情報処理モジュールを備える、装置。
【請求項７】
前記事前設定フォーマットのコンテンツは、ボイスメッセージ、ビデオ、音楽、テキスト、又は写真を含む、請求項６に記載の装置。
【請求項８】
前記情報処理モジュールは、
前記事前設定フォーマットのコンテンツのソースを取得するように構成された情報取得サブモジュールと、
前記ソースに応じて前記事前設定フォーマットのコンテンツに対応するリンクアドレスを生成するように構成された情報生成サブモジュールと、
前記キャプチャーされた現在の表示インターフェイスの事前設定場所に前記動作制御部の形態で前記リンクアドレスを表示するように構成された情報表示サブモジュールを備える、請求項６又は７に記載の装置。
【請求項９】
前記動作制御部に対するユーザーによるトリガー動作を受ける時、前記事前設定フォーマットのコンテンツを前記ユーザーに表示するように構成された情報表示モジュールを更に備える、請求項６〜８のいずれか一項に記載の装置。
【請求項１０】
前記情報表示モジュールは、前記動作制御部に対するユーザーによるトリガー動作を受ける時、前記動作制御部に対応するリンクアドレスを取得し、また前記リンクアドレスから前記事前設定フォーマットのコンテンツを取得し、前記事前設定フォーマットのコンテンツを前記ユーザーに表示するように構成される、請求項６〜９のいずれか一項に記載の装置。
【請求項１１】
コンピューター上で実行される時、請求項１〜５のいずれか一項に記載の方法を前記コンピューターに実行させるコンピュータープログラム。
【請求項１２】
請求項１１に記載のコンピュータープログラムが記憶されたコンピューター読み取り可能記憶媒体。
【国際調査報告】
2017532618.tif 000009
2017532618.tif 000010
2017532618.tif 000011
2017532618.tif 000012